(57)【要約】【課題】ケース本体の長辺側面部に連結部材を設け、該連結部材を弧回動するという簡単な操作により、ホットプレートの全部材を蓋に傷を付けることなく強固に支持することのできるホットプレートの支持構造を提供すること。【解決手段】矩形状のケース本体と、該ケース本体内に収納配置される矩形状のプレートと、該プレートを加熱するための加熱源と、前記プレート上に載置される矩形状の蓋とを有するホットプレートにおいて、前記ケース本体の相対向する長辺側面部に前記ケース本体と前記蓋とを連結する連結部材を設け、該連結部材を弧回動させることにより前記ケース本体、前記プレート及び前記蓋とを一体的に狭持する構成。【選択図】        図３
2004313259.tif 000002
【特許請求の範囲】
【請求項１】
矩形状のケース本体と、該ケース本体内に収納配置される矩形状のプレートと、該プレートを加熱するための加熱源と、前記プレート上に載置される矩形状の蓋とを有するホットプレートにおいて、前記ケース本体の相対向する長辺側面部に前記ケース本体と前記蓋とを連結する連結部材を設け、該連結部材を弧回動させることにより前記ケース本体、前記プレート及び前記蓋とを一体的に狭持することを特徴とするホットプレート。
【請求項２】
前記ケース本体長辺側面部の前記連結部材の左右側に前記ホットプレートを縦置きした場合に足となる脚部材を設けるとともに、前記連結部材は該脚部材の高さより内側に位置することを特徴とする請求項１記載のホットプレート。
【請求項３】
前記連結部材は弧回動するフック部材からなり、前記蓋の外周端部に形成されるカール部に係止されることを特徴とする請求項１、２記載のホットプレート。
【請求項４】
前記蓋の上部に蓋取手を取り付け、該蓋取手に前記連結部材を係止するための係止部を形成することを特徴とする請求項１、２記載のホットプレート。
【請求項５】
前記ケース本体には縦溝が設けられ、前記連結部材は該縦溝内に設けられることを特徴とする請求項１ないし４記載のホットプレート。
【発明の詳細な説明】
【０００１】
【発明が属する技術分野】
本願発明は、ケース本体と少なくとも１枚のプレートと蓋とを有するホットプレートに関し、特にホットプレートの長辺両側面に連結部材を設け、連結部材と蓋或いは蓋取手と係止することによりホットプレートの各部材をサンドイッチ固定できるようにし、且つ縦置き収納することのできるようにしたホットプレートに関するものである。
【０００２】
【従来の技術】
従来ホットプレートは、外側に位置し底部に脚を有するケース本体と、そのケース本体に収納配置され肉等を加熱調理するためのプレート、或いはたこ焼き用のプレート等からなる複数の調理プレートと、調理プレートの下方に配置され加熱調理するためのヒータ等からなる加熱源と、調理プレートの上方に載置される蓋等の部材から構成される。
【０００３】
ホットプレートは、家庭内で簡単に肉等を調理することができ、またたこ焼き等機能の異なる複数枚のプレートを有するものでは必要に応じて使い分けできるとともに、各部材は着脱自在にされており別々に洗うことができるため衛生的でもある。更に使用しない時にはケース本体内に複数の調理プレートを積み重ね、その上から蓋をすることにより各部材を一体のものとして組み付けることができる等便利な調理具として多くの家庭で使用されている。
【０００４】
ところでホットプレートを使用しない時にはケース本体内に一個或いは複数の調理プレート等を積み重ねて片付けることになり、水平な状態でそのまま収納することも可能ではあるが、水平な状態で収納するとどうしても広い収納場所を要することになる。それに対し縦置きにして収納する方が場所を取らない場合が多くそのような形態で収納することができる形態のものが望まれていた。
【０００５】
そのような弊害をなくすものとして図１２に示すものが提案されている。図に示すホットプレートａは、その外郭をなすケース本体ｂと、該ケース本体ｂ内に順次収納配置される受け皿ｃ、反射体ｄ及びプレートｅとを有し、前記プレートｅの下部にはヒータｆが配置されるとともに、その上部には蓋ｇが載置され、プレートｅ内で肉等の加熱調理が行われる。
【０００６】
符号ｈは、収納スタンドであり、支持部ｈ１、脚部ｈ２及び狭持部ｈ３からなる断面略７字状の支持部材であり、図では１本のみ示すが実際には２本で１組のものである。該収納スタンドｈは、ホットプレートａの使用時にはその全体が水平状態でケース本体ｂの底部に係止手段により固定されるが、ホットプレートａの非使用時にはケース本体ｂは横向きにされ、収納スタンドｈは係止状態を解放された後ケース本体ｂの底部から引き出され、９０度回動され、収納スタンドｈの脚部ｈ２は垂直に、狭持部ｈ３は水平且つ支持部ｈ１のほぼ真上になるようにされるとともに、その状態でホットプレートａ方向に押し込まれ、狭持部ｈ３の先端は蓋ｇの上面に強く当接され、脚部ｈ２はケース本体ｂの側面より外方に出っ張る位置になるようにされる。
【０００７】
その結果、図に示すように支持部ｈ１がケース本体ｂの底部を上方向に押圧し、狭持部ｈ３の先端が蓋ｇの上面を下方向に押圧する形態でホットプレートａの全部材は２本の収納スタンドｈにより一体的に狭持される。その後、ホットプレートａを縦置きにすることにより脚部ｈ２が脚になり垂直状態で支持され収納される（例えば、特許文献１参照。）。
【０００８】
ところでこの支持部材は、ホットプレートａに取り付けられているため紛失等の心配はないが、ケース本体ｂを横向きにし、係止状態を外し、引き出し、回動し、その後再度押し込むというように操作が面倒であり、また、支持状態では狭持部ｈ３の先端が蓋ｇの上面を下方向に強く押圧するため蓋ｇに傷が付く恐れがあるとともに、その狭持力が十分とは言えず縦置きにした状態では各部材がバラバラになる恐れを有していた。更に、その脚部ｈ２はケース本体ｂの側面より外方に出っ張っているため、手に当たったり或いは縦置きにしたとしてもそれだけ嵩高になり、高さが低い縦長の空間内に収納する場合収納できない恐れを有していた。
【０００９】
【特許文献１】
特開平８−２５２１８７号公報。
【００１０】
【発明が解決しようとする課題】
本願発明は、ケース本体の長辺側面部に連結部材を設け、該連結部材を弧回動するという簡単な操作により、ホットプレートの全部材を蓋に傷を付けることなく強固に支持するとともに、連結部材の使用時及び非使用時においても連結部材がケース本体の外郭から外方に出っ張ることのないようにしたホットプレートの支持構造を提供することを目的にするものである。
【００１１】
【課題を解決するための手段】
上記目的を達成するため、本願発明は以下の構成を採用する。
【００１２】
請求項１に係る発明では、矩形状のケース本体と、該ケース本体内に収納配置される矩形状のプレートと、該プレートを加熱するための加熱源と、前記プレート上に載置される矩形状の蓋とを有するホットプレートにおいて、前記ケース本体の相対向する長辺側面部に前記ケース本体と前記蓋とを連結する連結部材を設け、該連結部材を弧回動させることにより前記ケース本体、前記プレート及び前記蓋とを一体的に狭持する構成。
【００１３】
そしてこのような構成により、ホットプレートの全部材を積み重ねた後、支持部材である連結部材を弧回動するという簡単な操作により、ホットプレートの全部材を強固に支持することができる。
【００１４】
請求項２に係る発明では、前記ケース本体長辺側面部の前記連結部材の左右側に前記ホットプレートを縦置きした場合に足となる脚部材を設けるとともに、前記連結部材は該脚部材の高さより内側に位置する構成。そしてこのような構成により、請求項１に係る発明の作用に加え、ホットプレートの縦置き時、ホットプレートを安定して立てることができる。
【００１５】
請求項３に係る発明では、前記連結部材は弧回動するフック部材からなり、前記蓋の外周端部に形成されるカール部に係止される構成。そしてこのような構成により、請求項１、２に係る発明の作用に加え、蓋に係止用のための部材を特に設ける必要がないとともに、強固の係合を行うことができる。
【００１６】
請求項４に係る発明では、前記蓋の上部に蓋取手を取り付け、該蓋取手に前記連結部材を係止するための係止部を形成する構成。そしてこのような構成により、請求項１、２に係る発明の作用に加え、蓋取手に係止することにより蓋の損傷をより確実に無くすことができ、更にその係合をより強固にする。
【００１７】
請求項５に係る発明では、前記ケース本体には縦溝が設けられ、前記連結部材は該縦溝内に設けられる構成。そしてこのような構成により、請求項１ないし４に係る発明の作用に加え、連結部材は、ケース本体の外郭内に収まるよう配置されるため、外方に出っ張ることがなく、且つそれだけ見映えが良くなる。
【００１８】
【発明の実施の形態】
（第１の実施の形態）
図１ないし図４は本願発明の第１の実施の形態を示す。図１はその全体の平面図であり、図２はその長辺方向から見た状態を示す長辺側正面図であり、図３は図１のＡ−Ａ線の断面図であり、図４は連結部材の各状態を示す拡大図である。
【００１９】
図１ないし図４は連結部材１６が上動しホットプレート１のプレート５等の各部材を狭持する使用時を示す。断面を示す図３により説明する。ホットプレート１は、外側に位置するケース本体２と、そのケース本体２の内側に配置されるほぼ皿形状の水受け容器３と、その水受け容器３の内側に着脱自在に配置される加熱源としてのヒータ４と、そのヒータ４の上部に着脱自在に載置される２個のプレート５、５及びそのプレート５、５の上方開口面を閉蓋する蓋６等からなる。
【００２０】
前記水受け容器３は、金属性の薄板をプレス加工により一体成形されるもので、平面視矩形状でその全体はほぼ皿状とされ、ケース本体２内に載置される。そして内部に水を入れプレート５で肉等を焼く時に出る肉汁等を受ける。また、この水受け容器３の表面に熱を反射するための処理を施しても良く、或いは別体の反射板を取り付けても良い。
【００２１】
ヒータ４は、図示しないが平面視略ハート状或いはＹ字状からなり、シーズヒータが使われる。このシーズヒータは金属パイプの中にコイル状の電熱線を通し、パイプと電熱線間の接触を防ぐためマグネシアなどの耐熱性の無機質絶縁粉末を詰め、金属パイプの両端を密封した構造を有するもので通常インコロイヒータとも呼ばれるものである。そしてその端部には既に公知の感熱棒を有する温度調節器が着脱自在に取り付けられ、適正な温度制御を行う。なお、ヒータ４は特にシーズヒータである必要はなく他のヒータを用いても良い。
【００２２】
プレート５は厚いアルミダイカスト製のものから作られ、やはり平面視矩形状でその全体はほぼ皿状に形成され、その短辺側の両側面にはそれぞれ図示しないプレート取手が設けられるとともに、その上方開口端には前記蓋６が載置されるための段部７が形成される。なお、プレート５には肉等を焼くためのプレート、たこ焼きを作るためのプレート等複数種あるが、図３には特に種類を特定せず単に２枚のプレート５、５を図示している。
【００２３】
蓋６は鋼板製で、プレート５とほぼ同じ平面視矩形状の部材であり、その外周端部には補強用等の機能を有するカール部８が形成される。またその断面は図３に示すようにその中央部が盛り上がった円弧状にされ、その中央部には蓋取手９が図示しないビスにより一体的に取り付けられる。また、蓋６の外周端に形成されるカール部８は図３に示すようにプレート５の上方開口端に形成される段部７に載置される。
【００２４】
前記ケース本体２はホットプレート１の外郭を構成する樹脂製部材であり、平面視矩形状でその全体はほぼ皿形状を呈し、その底部には複数個の脚部１０が一体に形成される。またケース本体２は、その中央部には大きな開口１１を有するとともに、その外周上には図３に示すように環状溝１２が形成される。この環状溝１２は下方が開口した断面逆Ｕ字状からなる。更に、該環状溝１２の内側には水受け容器３等が配置される収納空間１３が形成される。
【００２５】
また、前記環状溝１２の長辺側面部１４、１４には、その中央部に垂直に縦溝１５、１５が形成される。この縦溝１５は図１及び図２に示すように長さＨ３の幅で且つケース本体２の全高Ｈ４に亘って形成されており、後記する連結部材１６が収納配置される。
【００２６】
符号１６は連結部材であり、ダブルヒンジ機構のフック部材からなる。該連結部材１６は、外側に配置されるＬ字状部材１７、内側に配置される平板状部材１８、第１軸１９及び第２軸２０等からなる。そして、その幅は、図１に示すようにケース本体２の縦溝１５の幅Ｈ３より若干小さい幅Ｈ２を有し、且つその高さは、ケース本体２の高さＨ４とほぼ同じ高さを有しており、全体として縦溝１５内に収納配置される大きさを有してなる。
【００２７】
前記Ｌ字状部材１７は、図３に示すように垂直部１７ａ及びその上部に垂直部１７ａと一体に形成される水平部１７ｂを有するＬ字状の樹脂製部材であり、垂直部１７ａと水平部１７ｂとで弧回動するフック部材を構成し、水平部１７ｂが係止片として機能する。また、垂直部１７ａの下方には大きな矩形状の切欠き１７ｃが形成され、該垂直部１７ａは門形状を呈しこの大きな切欠き１７ｃ内に前記平板状部材１８が配置される。そして大きな切欠き１７ｃの内側面には、第２軸２０が軸支されるための穴である第３軸受け２３が形成されている。
【００２８】
前記平板状部材１８は、平板状の樹脂製部材であり、その下方には小さな矩形状の切欠き１８ａが形成されるとともに、その小さな切欠き１８ａの内側面には、第１軸１９が軸支されるための穴である第１軸受け２１が形成され、更に上方の外側面には、第２軸２０が軸支されるための穴である第２軸受け２２が形成されている。
【００２９】
また、前記縦溝１５内のケース本体２の内壁面２４の上部には軸支持台２５が接着剤等により固定されており、該軸支持台２５に前記第１軸１９が支持される。この第１軸１９の両端は、平板状部材１８の小さな切欠き１８ａの内側面に形成される第１軸受け２１に嵌合され、平板状部材１８を該第１軸１９を中心に弧回動自在にする。そしてその回動は、小さな切欠き１８ａが設けられている側面とは反対側の側面である操作端部１８ｂに力を加えることにより行われる。
【００３０】
この平板状部材１８の小さな切欠き１８ａとは反対側の両外側面に設けられる前記第２軸受け２２には、前記第２軸２０の一方端が嵌合されるとともに、該第２軸２０の他方端には、前記Ｌ字状部材１７の大きな切欠き１７ｃの内側面に形成される第３軸受け２３が嵌合され、その全体は図４に示す形態で連結され、それぞれの部材１７、１８は第１軸１９及び第２軸２０を介して弧回動自在にされている。
【００３１】
次に連結部材１６の係合、非係合について説明する。図４（Ａ）は、連結部材１６の使用直前の状態を示す図である。即ち、平板状部材１８を操作端部１８ｂに力を加えることにより上方へ弧回動し、且つ、第２軸２０を介して連結されるＬ字状部材１７を上方に位置させる。するとＬ字状部材１７の係止片としての水平部１７ｂは、蓋６のカール部８の上方に位置することになる。
【００３２】
図４（Ｂ）は、連結部材１６の使用時の状態を示す図である。即ち、図４（Ａ）の状態にした後、平板状部材１８の操作端部１８ｂに下向きの力を加えることにより平板状部材１８を下方に弧回動する。すると、Ｌ字状部材１７はほぼそのままの形態で下動し、その水平部１７ｂの下面が蓋６のカール部８に当接する。
かまわず平板状部材１８をほぼ垂直になるまで弧回動する。すると図４（Ｂ）で示す形態になり、Ｌ字状部材１７の水平部１７ｂは蓋６のカール部８に強く係止し、ホットプレート１の各部材を狭持することになる。この場合、水平部１７ｂは強度のあるカール部８に係止して蓋６を狭持するため、蓋６に傷が付くことはない。また、この状態で水平部１７ｂの垂直部１７ａ内面は、図３に示すようにプレート５に当接することはない。
【００３３】
図４（Ｃ）は、連結部材１６の非使用時の状態を示す図である。即ち、平板状部材１８は第１軸１９の下方に位置し、Ｌ字状部材１７も第２軸２０の下方に位置する。そしてＬ字状部材１７の下端はケース本体２の下端近傍に位置することになる。なお、この場合、Ｌ字状部材１７の下端はケース本体２の下端より下方に位置するようにしても良い。
【００３４】
また、連結部材１６が設けられる側のケース本体２の長辺側面部１４には、連結部材１６を挟んでその左右に脚部材２６、２６が設けられ、連結部材１６によりホットプレート１の各部材を狭持し、縦置きする場合足として用いられる。この脚部材２６、２６は、ケース本体２より外方へ若干飛び出て設けられる。
【００３５】
そして、脚部材２６のケース本体２より外方へ飛び出る長さは、少なくとも図４（Ｂ）の使用時の状態では図１に示すように連結部材１６の外方端より長さＨ１だけ外側になるように設定される。そのため、ホットプレート１を縦置きした場合にホットプレートを安定して立てることができるとともに、連結部材１６が床等に当たり床等が損傷することはない。
【００３６】
（第２の実施の形態）
図５及び図６にその実施の形態を示す。図５はその全体の平面図であり、図６は図５のＢ−Ｂ線の断面図である。この実施の形態のものは、蓋の上部で且つ連結部材と係合する箇所に蓋取手を設け、連結部材とこの蓋取手を係合するものである。なお、第１の実施の形態のものと同一なものについては同じ符号で示し、以下で説明しない箇所については第１の実施の形態のものを代用する。
【００３７】
図５及び図６は連結部材１６が上動しホットプレート１のプレート５等の各部材を狭持する使用時を示す。ホットプレート１は、外側に位置するケース本体２と、そのケース本体２の内側に配置されるほぼ皿形状の水受け容器３と、その水受け容器３の内側に着脱自在に配置される加熱源としてのヒータ４と、そのヒータ４の上部に着脱自在に載置される２個のプレート５、５及びそのプレート５、５の上方開口面を閉蓋する蓋６等からなる。なお、ケース本体２、水受け容器３、ヒータ４、プレート５、５の各部材は第１の実施の形態のものと同じである。
【００３８】
蓋６について説明すると、該蓋６は鋼板製で、プレート５とほぼ同じ平面視矩形状の部材であり、その外周端部には補強用等の機能を有するカール部８が形成され、その断面は図６に示すようにその中央部が盛り上がった円弧状にされる。
また、蓋６の長辺側部側近傍の上面には蓋取手３０がビス３１により一体的に取り付けられる。
【００３９】
該蓋取手３０は、蓋６上に位置する肉厚の本体部３０ａと、該本体部３０ａから外方に一体的に延設される肉薄の舌状部３０ｂとを有してなる平面視矩形状の樹脂製部材である。そして舌状部３０ｂは本体部３０ａより一段低くされ、連結部材１６の係止片としての水平部１７ｂが係合する係止部となる。そして本体部３０ａと舌状部３０ｂの境界には段部３０ｃが形成される。この蓋取手３０の高さは、蓋６の天面の最上部より高く形成されており、ホットプレート１を縦置きにした状態から転倒した場合、蓋６の天面のへこみを防止することができる。
【００４０】
符号１６は連結部材であり、ダブルヒンジ機構のフック部材である。該連結部材１６は、第１の実施の形態と同様に外側に配置されるＬ字状部材１７、内側に配置される平板状部材１８、第１軸１９及び第２軸２０等からなる。そして、その幅は、図１に示すようにケース本体２の縦溝１５の幅Ｈ３より若干小さい幅Ｈ２を有し、且つその高さは、ケース本体２の高さとほぼ同じ高さを有しており、全体として縦溝１５内に収納配置される大きさを有してなるものでその詳細な説明は第１の実施の形態と同様であるため省略する。
【００４１】
図５及び図６は、連結部材１６の使用時の状態を示す図である。即ち、連結部材１６の一部材であるＬ字状部材１７は立設された状態にあり、係止片である水平部１７ｂは蓋取手３０の舌状部３０ｂ上に当接し、該舌状部３０ｂを下方へ押圧し、ホットプレート１の各部材を狭持することになる。
【００４２】
このように蓋６に蓋取手３０を設け、該蓋取手３０の上方から力を加えホットプレート１の各部材を狭持することにより、蓋６に傷を全く付けることがなく、ホットプレート１の各部材をより確実且つ強固に狭持することができる。また、この状態では図６に示すように舌状部３０ｂの先端は、プレート５より長さＨ５だけ外側に張り出しており、連結部材１６は舌状部３０ｂの先端に当接され、プレート５に当接することはないため連結部材１６と蓋取手３０との係合を良好に行うことができる。
【００４３】
（第３の実施の形態）
図７ないし図９にその実施の形態を示す。図７はその全体の平面図であり、図８は図７のＣ−Ｃ線の断面図であり、図９は図７のＣ−Ｃ線の断面図で、連結部材の非使用時の状態を示す図である。この実施の形態のものは、連結部材としてリング状部材及びスプリングからなる部材を用いるものである。なお、第１の実施の形態のものと同一なものについては同じ符号で示し、以下で説明しない箇所については第１の実施の形態のものを代用する。
【００４４】
図７及び図８は連結部材１６がホットプレート１のプレート５等の各部材を狭持する使用時を、図９は連結部材１６の非使用時を示す。ホットプレート１は、外側に位置するケース本体２と、そのケース本体２の内側に配置されるほぼ皿形状の水受け容器３と、その水受け容器３の内側に着脱自在に配置される加熱源としてのヒータ４と、そのヒータ４の上部に着脱自在に載置される２個のプレート５、５及びそのプレート５、５の上方開口面を閉蓋する蓋６等からなる。なお、ケース本体２、水受け容器３、ヒータ４、プレート５、５の各部材は第１の実施の形態のものと同じである。
【００４５】
蓋６について説明すると、該蓋６は鋼板製で、プレート５とほぼ同じ平面視矩形状の部材であり、その外周端部には補強用等の機能を有するカール部８が形成され、その断面は図８及び図９に示すようにその中央部が盛り上がった円弧状にされる。また、蓋６の長辺側部側近傍の上面には蓋取手４２が接着剤等により一体的に取り付けられる。
【００４６】
該蓋取手４２は、平面視矩形状の樹脂製平板状部材であり、その上部には断面半円状の係止部４３が形成される。該係止部４３の高さは、蓋６の天面の最上部より高く形成されており、ホットプレート１を縦置きにした状態から転倒した場合、蓋６の天面のへこみを防止する。また、蓋取手４２の先端はプレート５より外方に張り出して形成されており、連結部材１６の使用時スプリング４１をその先端で支持する。
【００４７】
連結部材１６は、リング状部材４０及びスプリング４１から構成される。リング状部材４０は、円弧部４０ａ及び直線部４０ｂを有し、その中央に開孔４０ｃを形成してなる金属製の断面半円形の部材であり、その開孔４０ｃの大きさは蓋取手４２の上部に形成される係止部４３より大とされ、円弧部４０ａは該係止部４３に係合可能とされる。
【００４８】
また、リング状部材４０の直線部４０ｂには、スプリング４１の一端が取り付けられるとともに、該スプリング４１の他端は、ケース本体２内に取り付けられる支持具４４に取り付けられる。
【００４９】
ケース本体２内には、図８に示すように金属棒等からなる支持具４４が横架されるとともに、支持具４４の直上のケース本体２にはスプリング４１を挿通するための開口４５が設けられており、該スプリング４１は、この開口４５を通りその一端はリング状部材４０の直線部４０ｂに取り付けられ、その他端は支持具４４に取り付けられる。
【００５０】
前記スプリング４１は、非使用時においては図９に示すように縮んだ状態になり、その全体はケース本体２内に位置するとともに、その上端に取り付けられるリング状部材４０をケース本体２の上部に形成される開口４５上に保持する。
【００５１】
そして使用時には、リング状部材４０に指をかけ、該リング状部材４０をスプリング４１の力に抗して持ち上げることになる。その後リング状部材４０を蓋取手４２の上部に形成される係止部４３に係合する。その結果、スプリング４１の力によりホットプレート１の各部材は強固に狭持される。この場合、蓋取手４２の先端はプレート５より外方に張り出して形成されているため、スプリング４１をその先端で良好に支持する。なお、蓋取手４２の先端近傍は直線的に記載されているが、先端近傍を湾曲状にすることにより、スプリング４１が角度が付いた状態で変形することなくより良好に支持することができる。
【００５２】
（第４の実施の形態）
図１０及び図１１にその実施の形態を示す。図１０はその全体の平面図であり、図１１は図１０のＤ−Ｄ線の断面図である。この実施の形態のものは、連結部材としてバンド及び係止用金具からなる部材を用いるものである。なお、第１の実施の形態のものと同一なものについては同じ符号で示し、以下で説明しない箇所については第１の実施の形態のものを代用する。
【００５３】
図１０及び図１１は、連結部材１６がホットプレート１のプレート５等の各部材を嵌合狭持する使用時を示す。ホットプレート１は、外側に位置するケース本体２と、そのケース本体２の内側に配置されるほぼ皿形状の水受け容器３と、その水受け容器３の内側に着脱自在に配置される加熱源としてのヒータ４と、そのヒータ４の上部に着脱自在に載置される２個のプレート５、５及びそのプレート５、５の上方開口面を閉蓋する蓋６等からなる。なお、ケース本体２、水受け容器３、ヒータ４、プレート５、５の各部材は第１の実施の形態のものと同じである。
【００５４】
蓋６について説明すると、該蓋６は鋼板製で、プレート５とほぼ同じ平面視矩形状の部材であり、その外周端部には補強用等の機能を有するカール部８が形成され、その断面は図１１に示すようにその中央部が盛り上がった円弧状にされる。また、蓋６の長辺側部側近傍の上面には蓋取手５２がビス５４等により一体的に取り付けられる。
【００５５】
該蓋取手５２は、平面視矩形状の樹脂製部材であり、その高さは、蓋６の天面の最上部より高く形成されており、ホットプレート１を縦置きにした状態から転倒した場合、蓋６の天面のへこみを防止する。また、蓋取手５２の先端はプレート５より外方に張り出して形成されるとともに、その先端には、バンド５０の挿通用の係止孔５３が形成される。
【００５６】
連結部材１６は、バンド５０及び係止用金具５１から構成される。バンド５０は所定幅及び長さを有する布製のものであり、また、係止用金具５１はその先端に湾曲部５１ａを有する樹脂製部材であり、両者５０、５１は接着剤により一体的に固定されている。また、バンド５０及び係止用金具５１が一体的に接合された状態のバンド５０の根本部と先端部には、マジックテープ（登録商標）５５が取り付けられており、バンド５０を折り返し、根本部と先端部とを該マジックテープ（登録商標）５５により接合可能にしている。
【００５７】
そしてその使用時には、係止用金具５１の先端に形成される湾曲部５１ａをケース本体２の環状溝１２の先端に引っかけ、バンド５０の先端を蓋取手５２の先端に形成される係止孔５３に通し、強く引っ張り、折り曲げ、その後バンド５０の根本部に貼付されるマジックテープ（登録商標）５５にバンド５０の先端部に貼付されるマジックテープ（登録商標）５５を張り合わせることにより折り曲げたバンド５０の両者を図１１に示すように強く接合する。
【００５８】
このような連結部材１６を用いることにより、簡単且つ容易にホットプレート１を狭持することができるとともに、ケース本体に変更を加えることなく蓋取手５２の変更だけで行うことができるため、それだけ生産コストを低減することができる。
【００５９】
本願発明は、上記実施例の構成に限定されるものではなく、発明の要旨を逸脱しない範囲において適宜設計変更可能であることは勿論である。
【００６０】
【発明の効果】
請求項１に係る発明では、ケース本体の相対向する長辺側面部にケース本体と蓋とを連結する連結部材を設け、該連結部材を弧回動させることによりケース本体、プレート及び蓋とを一体的に狭持することにより、ホットプレートの全部材を積み重ねた後、支持部材である連結部材を弧回動するという簡単な操作により、ホットプレートの全部材を強固に支持することができ、その結果、ホットプレートの縦置きを容易に行うことができる。また、連結部材の取り付け位置に制約がないため、例えば市販の構造が簡単で安価な連結部材を用いることができ、それだけ生産コストを低減することができる。
【００６１】
請求項２に係る発明では、ケース本体長辺側面部の連結部材の左右側にホットプレートを縦置きした場合に足となる脚部材を設け、連結部材を脚部材の高さより内側に位置させることにより、請求項１に係る発明の効果に加え、ホットプレートの縦置き時、連結部材が邪魔にならずにホットプレートを安定して立てることができ、ホットプレートの信頼性をより高めることができる。
【００６２】
請求項３に係る発明では、連結部材を弧回動するフック部材とし、蓋の外周端部に形成される強度の高いカール部に係止するようにすることにより、請求項１、２に係る発明の効果に加え、蓋に係止用のための部材を特に設ける必要がないためそれだけ生産コストを低減することができる。また、蓋に直接係合しないため蓋の傷つきを防止することができる。
【００６３】
請求項４に係る発明では、蓋の上部に蓋取手を取り付け、該蓋取手に連結部材を係止するための係止部を形成することにより、請求項１、２に係る発明の効果に加え、蓋取手に係止することにより蓋の損傷をより確実に無くすことができ、更にその係合をより強固にすることができる。
【００６４】
請求項５に係る発明では、ケース本体に縦溝を設け、連結部材を該縦溝内に設けることにより、請求項１ないし４に係る発明の効果に加え、連結部材はケース本体の外郭内に収まるよう配置されるため、外方に出っ張り手が当たるような弊害が防止でき、更に見映えを向上することができる。
【００６５】
また、専用の収納箱に収納する場合にも簡単に収納できるとともに、該収納箱を小さなものとすることができそれだけ生産コストを低減することができる。更に、専用の収納箱を用いなくても簡単に収納できるとともに、ホットプレートの短辺と同じ高さの空間があれば該ホットプレートを縦置きで収納することができるためそれだけ収納の自由度を高めることができる。
【図面の簡単な説明】
【図１】本願発明のホットプレートの連結部材の使用状態を示す平面図。
【図２】本願発明のホットプレートを長辺方向から見た状態を示す長辺側正面図。
【図３】図１のＡ−Ａ線の断面図。
【図４】本願発明のホットプレートの連結部材を示す拡大図で、図（Ａ）は使用直前の状態を示す図、図（Ｂ）は使用時の状態を示す図、図（Ｃ）は非使用時の状態を示す図。
【図５】本願発明のホットプレートの他の連結部材の使用状態を示す平面図。
【図６】図５のＢ−Ｂ線の断面図。
【図７】本願発明のホットプレートの更に他の連結部材の使用状態を示す平面図。
【図８】図７のＣ−Ｃ線の断面図。
【図９】図７のＣ−Ｃ線の断面図で、連結部材の非使用時の状態を示す図。
【図１０】本願発明のホットプレートの更に他の連結部材の使用状態を示す平面図。
【図１１】図１０のＤ−Ｄ線断面図。
【図１２】従来のホットプレートの連結部材の使用状態を示す断面図。
【符号の説明】
１…ホットプレート    ２…ケース本体
３…水受け容器        ４…ヒータ
５…プレート          ６…蓋
７…段部              ８…カール部
９…蓋取手            １０…脚部
１１…開口            １２…環状溝
１３…収納空間        １４…長辺側面部
１５…縦溝            １６…連結部材
１７…Ｌ字状部材      １７ａ…垂直部
１７ｂ…水平部        １７ｃ…切欠き部
１８…平板状部材      １８ａ…切欠き部
１８ｂ…操作端部      １９…第１軸
２０…第２軸          ２１…第１軸受
２２…第２軸受        ２３…第３軸受
２４…内壁面          ２５…軸支持台
２６…脚部材          ３０…蓋取手
３０ａ…本体部        ３０ｂ…舌状部
３０ｃ…段部          ３１…ビス
４０…リング状部材    ４０ａ…円弧部
４０ｂ…直線部        ４０ｃ…開孔
４１…スプリング      ４２…蓋取手
４３…係止部          ４４…支持具
４５…開口            ５０…バンド
５１…係止用金具      ５１ａ…湾曲部
５２…蓋取手          ５３…係止孔
５４…ビス            ５５…マジックテープ（登録商標）
【図１】
2004313259.tif 000003
【図２】
2004313259.tif 000004
【図３】
2004313259.tif 000005
【図４】
2004313259.tif 000006
【図５】
2004313259.tif 000007
【図６】
2004313259.tif 000008
【図７】
2004313259.tif 000009
【図８】
2004313259.tif 000010
【図９】
2004313259.tif 000011
【図１０】
2004313259.tif 000012
【図１１】
2004313259.tif 000013
【図１２】
2004313259.tif 000014